【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
動画データを取得する取得手段と、
前記取得手段により取得された動画データの中から、ブレ量の少ない１つのフレーム又は被写体の変化の大きい１つのフレームを選択する第１の選択手段と、
前記第１の選択手段により選択されたフレームから静止画ファイルを生成する生成手段と、
前記生成手段により生成された静止画ファイルを記録手段に記録する記録制御手段と、
を備え、
前記生成手段は、
前記静止画ファイルを生成する前に、前記第１の選択手段により選択されたフレームのトリミング画像を生成する手段を含み、該生成されたトリミング画像の静止画ファイルを生成することを特徴とする画像生成装置。
【請求項２】
トリミングするエリアを示すトリミング情報を記憶する第１の記憶手段と、
前記第１の選択手段により選択されたフレーム中の被写体を認識する第１の画像認識手段と、
前記第１の画像認識手段により認識された被写体の位置に基づいてトリミングエリアを決定して前記第１の記憶手段にトリミング情報を記憶させる第１の記憶制御手段と、
を備え、
前記生成手段は、
前記第１の記憶手段に記憶されているトリミング情報に基づいて、前記第１の選択手段により選択されたフレームのトリミング画像を生成することを特徴とする請求項１記載の画像生成装置。
【請求項３】
前記取得手段により取得された動画データのうち、前記第１の選択手段により選択されたフレーム以外のフレームを複数選択する第２の選択手段を備え、
前記生成手段は、
前記静止画ファイルを生成する前に、前記第２の選択手段により選択された各フレームのトリミング画像を生成することを特徴とする請求項１又は２記載の画像生成装置。
【請求項４】
前記第２の選択手段は、
前記第１の選択手段により選択されたフレームの前後のフレームを選択することを特徴とする請求項３記載の画像生成装置。
【請求項５】
前記第２の選択手段は、
前記第１の選択手段により選択されたフレーム以外のフレームのうち、ブレ量の少ないフレーム又は被写体の変化の大きいフレームを選択することを特徴とする３記載の画像生成装置。
【請求項６】
前記第２の選択手段により選択された各フレームに対応するトリミング情報を記憶する第２の記憶手段と、
前記第２の選択手段により選択されたフレーム毎に被写体の画像を認識し、該フレーム毎に、前記第１の画像認識手段により認識された被写体のある位置に基づいてトリミングエリアを決定して前記第２の記憶手段に各フレームのトリミング情報を記憶させる第２の記憶制御手段と、
を備え、
前記生成手段は、
前記２の記憶手段に記憶されている前記第２の選択手段により選択されたフレーム毎のトリミング情報にしたがって、該選択された各フレームのトリミング画像を生成することを特徴とする請求項３乃至５の何れかに記載の画像生成装置。
【請求項７】
前記第２の選択手段により選択された各フレームに対応するトリミング情報を記憶する第２の記憶手段と、
前記第２の選択手段により選択された各フレーム毎の被写体を認識する第２の画像認識手段と、
前記第２の画像認識手段により認識された被写体に基づいて、前記第２の選択手段により選択された各フレームのトリミングエリアを決定して前記第２の記憶手段にトリミング情報を記憶させる第２の記憶制御手段と、
を備え、
前記生成手段は、
前記２の記憶手段に記憶されている前記第２の選択手段により選択されたフレーム毎のトリミング情報にしたがって、該選択された各フレームのトリミング画像を生成することを特徴とする請求項３乃至５の何れかに記載の画像生成装置。
【請求項８】
前記生成手段は、
前記第１及び第２の選択手段により選択された複数のフレームから生成された複数のトリミング画像から１枚の組画像データを生成し、該生成した組画像データの静止画ファイルを生成することを特徴とする請求項３乃至７の何れかに記載の画像生成装置。
【請求項９】
動画データを取得する取得処理と、
この取得処理により取得された動画データの中から、ブレ量の少ない１つのフレーム又は被写体の変化の大きい１つのフレームを選択する選択処理と、
この選択処理により選択されたフレームから静止画ファイルを生成する生成処理と、
この生成処理により生成された静止画ファイルを記録手段に記録する記録制御処理とを含み、
更に、前記生成処理は、前記静止画ファイルを生成する前に、前記選択処理により選択されたフレームのトリミング画像を生成し、該生成されたトリミング画像の静止画ファイルを生成する処理を含み、
上記各処理をコンピュータで実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による画像生成装置は、動画データを取得する取得手段と、前記取得手段により取得された動画データの中から、ブレ量の少ない１つのフレーム又は被写体の変化の大きい１つのフレームを選択する第１の選択手段と、前記第１の選択手段により選択されたフレームから静止画ファイルを生成する生成手段と、前記生成手段により生成された静止画ファイルを記録手段に記録する記録制御手段と、を備え、前記生成手段は、前記静止画ファイルを生成する前に、前記第１の選択手段により選択されたフレームのトリミング画像を生成する手段を含み、該生成されたトリミング画像の静止画ファイルを生成することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、例えば、請求項２に記載されているように、トリミングするエリアを示すトリミング情報を記憶する第１の記憶手段と、前記第１の選択手段により選択されたフレーム中の被写体を認識する第１の画像認識手段と、前記第１の画像認識手段により認識された被写体の位置に基づいてトリミングエリアを決定して前記第１の記憶手段にトリミング情報を記憶させる第１の記憶制御手段と、を備え、前記生成手段は、前記第１の記憶手段に記憶されているトリミング情報に基づいて、前記第１の選択手段により選択されたフレームのトリミング画像を生成するようにしてもよい。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
また、例えば、請求項３に記載されているように、前記取得手段により取得された動画データのうち、前記第１の選択手段により選択されたフレーム以外のフレームを複数選択する第２の選択手段を備え、前記生成手段は、前記静止画ファイルを生成する前に、前記第２の選択手段により選択された各フレームのトリミング画像を生成するようにしてもよい。
【手続補正１４】
【補正対象書類名】明細書
【補正対象項目名】００１８
【補正方法】変更
【補正の内容】
【００１８】
また、例えば、請求項４に記載されているように、前記第２の選択手段は、前記第１の選択手段により選択されたフレームの前後のフレームを選択するようにしてもよい。
【手続補正１５】
【補正対象書類名】明細書
【補正対象項目名】００１９
【補正方法】変更
【補正の内容】
【００１９】
また、例えば、請求項５に記載されているように、前記第２の選択手段は、前記第１の選択手段により選択されたフレーム以外のフレームのうち、ブレ量の少ないフレーム又は被写体の変化の大きいフレームを選択するようにしてもよい。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
また、例えば、請求項６に記載されているように、前記第２の選択手段により選択された各フレームに対応するトリミング情報を記憶する第２の記憶手段と、前記第２の選択手段により選択されたフレーム毎に被写体の画像を認識し、該フレーム毎に、前記第１の画像認識手段により認識された被写体のある位置に基づいてトリミングエリアを決定して前記第２の記憶手段に各フレームのトリミング情報を記憶させる第２の記憶制御手段と、を備え、前記生成手段は、前記２の記憶手段に記憶されている前記第２の選択手段により選択されたフレーム毎のトリミング情報にしたがって、該選択された各フレームのトリミング画像を生成するようにしてもよい。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
また、例えば、請求項７記載されているように、前記第２の選択手段により選択された各フレームに対応するトリミング情報を記憶する第２の記憶手段と、前記第２の選択手段により選択された各フレーム毎の被写体を認識する第２の画像認識手段と、前記第２の画像認識手段により認識された被写体に基づいて、前記第２の選択手段により選択された各フレームのトリミングエリアを決定して前記第２の記憶手段にトリミング情報を記憶させる第２の記憶制御手段と、を備え、前記生成手段は、前記２の記憶手段に記憶されている前記第２の選択手段により選択されたフレーム毎のトリミング情報にしたがって、該選択された各フレームのトリミング画像を生成するようにしてもよい。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
また、例えば、請求項８記載されているように、前記生成手段は、前記第１及び第２の選択手段により選択された複数のフレームから生成された複数のトリミング画像から１枚の組画像データを生成し、該生成した組画像データの静止画ファイルを生成するようにしてもよい。
【手続補正２４】
【補正対象書類名】明細書
【補正対象項目名】００２８
【補正方法】変更
【補正の内容】
【００２８】
上記目的達成のため、請求項９記載の発明によるプログラムは、動画データを取得する取得処理と、この取得処理により取得された動画データの中から、ブレ量の少ない１つのフレーム又は被写体の変化の大きい１つのフレームを選択する選択処理と、この選択処理により選択されたフレームから静止画ファイルを生成する生成処理と、この生成処理により生成された静止画ファイルを記録手段に記録する記録制御処理とを含み、更に、前記生成処理は、前記静止画ファイルを生成する前に、前記選択処理により選択されたフレームのトリミング画像を生成し、該生成されたトリミング画像の静止画ファイルを生成する処理を含み、上記各処理をコンピュータで実行させることを特徴とする。
【手続補正２５】
【補正対象書類名】明細書
【補正対象項目名】００２９
【補正方法】変更
【補正の内容】
【００２９】
請求項１記載の発明によれば、簡単、且つ、迅速に動画データの中のフレームからトリミング画像を生成することができる。
【手続補正２６】
【補正対象書類名】明細書
【補正対象項目名】００３０
【補正方法】変更
【補正の内容】
【００３０】
また、動画データのフレームを静止画ファイルとして記録せずに、該フレームから生成されたトリミング画像のみを記録することができ、無駄なデータを記録することがなく、メモリ容量を有効活用することができる。また、無駄なデータを消去する必要もないので手間もかからない。
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】変更
【補正の内容】
【００３２】
更に、ブレの少ないフレームを選択した場合には綺麗なトリミング画像のみを静止画ファイルとして生成することができ、被写体の変化の大きいフレームを選択した場合にはシーンの変り目となる画像や決定的瞬間となるトリミング画像を静止画ファイルとして生成することができる。
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】変更
【補正の内容】
【００３５】
請求項２記載の発明によれば、トリミングエリア内の画像をトリミングすることができる。
【手続補正３２】
【補正対象書類名】明細書
【補正対象項目名】００３６
【補正方法】変更
【補正の内容】
【００３６】
更に、自動的に画像認識により認識された被写体（人物や動物や自動車などの被写体）の画像データをトリミングすることができる。
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】変更
【補正の内容】
【００４０】
請求項３記載の発明によれば、一度に複数のトリミング画像を生成するので、ユーザの手間がかからずに複数のトリミング画像を得ることができる。
【手続補正３７】
【補正対象書類名】明細書
【補正対象項目名】００４１
【補正方法】変更
【補正の内容】
【００４１】
請求項４記載の発明によれば、ユーザの手間がかからずに複数のトリミング画像を得ることができる。
【手続補正３８】
【補正対象書類名】明細書
【補正対象項目名】００４２
【補正方法】変更
【補正の内容】
【００４２】
請求項５記載の発明によれば、ブレの少ないフレームを選択した場合には綺麗なトリミング画像を静止画ファイルとして記録することができる。また、被写体の変化の大きいフレームを選択した場合にはシーンの変り目となる画像や決定的瞬間となるフレームを静止画ファイルとして記録することができる。
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】変更
【補正の内容】
【００４５】
請求項６記載の発明によれば、フレーム毎に異なったトリミング情報でトリミング画像を生成することができる。
【手続補正４２】
【補正対象書類名】明細書
【補正対象項目名】００４６
【補正方法】変更
【補正の内容】
【００４６】
更に、選択されたフレームから同一の被写体が写ったトリミング画像を生成することができる。
【手続補正４３】
【補正対象書類名】明細書
【補正対象項目名】００４７
【補正方法】変更
【補正の内容】
【００４７】
請求項７記載の発明によれば、フレーム毎に異なったトリミング情報でトリミング画像を生成することができる。更に、各フレーム毎に自動的に認識された被写体（人物や動物や自動車などの被写体）の画像データをトリミングすることができる。
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】変更
【補正の内容】
【００５０】
請求項８記載の発明によれば、洒落た写真を得ることができ、ユーザの興趣を高めることができる。また、１枚の組画像データの画像を見ることにより、一度に複数のトリミング画像を見ることができ、また、動画データの内容の概略を瞬時に思い出すこともできる。
【手続補正４７】
【補正対象書類名】明細書
【補正対象項目名】００５１
【補正方法】変更
【補正の内容】
【００５１】
請求項９記載の発明によれば、デジタルカメラ、パソコン等に読み込ませることにより、本発明の画像生成装置を実現することができる。
【手続補正４８】
【補正対象書類名】明細書
【補正対象項目名】００８８
【補正方法】変更
【補正の内容】
【００８８】
Ｃ．以上のように、第１の実施の形態においては、１コマ切り出しのモーションプリントがユーザによって選択されて、ユーザが動画ファイルのフレームの中からハイライトシーンとなるフレームを選択すると、該フレームとともにトリミング枠２０を表示させ、該表示されたトリミング枠２０内の画像データを切り出して、静止画ファイルとして記録するようにしたので、簡単に撮影した動画ファイルの中の任意のフレームから静止画ファイルとして記録したい被写体の画像を切り出して記録することができる。
【手続補正４９】
【補正対象書類名】明細書
【補正対象項目名】０１０８
【補正方法】変更
【補正の内容】
【０１０８】
（９）また、図３のステップＳ２７では、ステップＳ２６で決定したトリミング位置情報、トリミングサイズ情報に基づいて、決定したフレームと、その前後４枚のフレームとからトリミング画像を生成するようにしたが、決定したトリミング位置情報に基づいて、決定したフレームからトリミング画像を生成し、決定したフレームの前後４枚のフレームに関しては、該決定したトリミング情報に基づいてトリミング位置、トリミングサイズを変えてトリミング画像を生成するようにしてもよい。
例えば、決定したトリミング位置を中心に前後のフレームのトリミング位置を徐々に右にしたり、左にしたり、上にしたり、下にしたりするようにしてもよい。また、決定したトリミングサイズを中心に前後のフレームのトリミングサイズを徐々に大きくしたり、小さくしたりするようにしてもよい。
【手続補正５０】
【補正対象書類名】明細書
【補正対象項目名】０１０９
【補正方法】変更
【補正の内容】
【０１０９】
（１０）また、図３のステップＳ２７では、ステップＳ２６で決定したトリミング位置情報、トリミングサイズ情報に基づいて、ステップＳ１８で決定したフレームの前後のフレームからもトリミング画像を生成するようにしたが、それぞれのフレームに対してトリミング位置、トリミングサイズをユーザが変更することができるようにしてもよいし、画像認識処理などを用いて自動的にそれぞれのフレームに対してトリミング位置、トリミングサイズを決定するようにしてもよい。
【手続補正５１】
【補正対象書類名】明細書
【補正対象項目名】０１１０
【補正方法】変更
【補正の内容】
【０１１０】
（１１）また、図３のステップＳ２７では、ステップＳ２６で決定したトリミング位置、トリミングサイズに基づいて、ハイライトシーンとして決定したフレームの前後のフレームからもトリミング画像を生成するようにしたが、ステップＳ１８で決定したフレームのみからトリミング画像を生成するようにし、ハイライトシーンとして決定したフレームの前後のフレームからはトリミング画像を生成しないようにしてもよい。この場合、ステップＳ２８では、ハイライトシーンとして決定したフレームから生成されたトリミング画像と、該決定したフレームの前後のフレームとから１枚の組画像データを生成することとなる。